(57)【要約】  スライドファスナー（１）は、一対のファスナーストリンガー（２）と、一対のファスナーストリンガー（２）を開閉するための少なくとも一つのスライダー（５）と、ファスナーエレメント列に隣接した位置で前記ファスナーテープ（３）の側縁部（３２）に対して取り付けられた止め具（６，７）を含む。止め具（６，７）は、ファスナーエレメント（４）の厚みよりも小さい厚みを有する少なくとも一つの薄肉部（６１，７１）及び／又は止め具（６，７）を上下方向に貫通する少なくとも一つの貫通孔（６８）を有する。薄肉部（６１，７１）及び／又は貫通孔（６８）は、１以上のファスナーエレメント（４）の再成形により止め具（６，７）が得られるように構成される。代替の条件も開示される。
2020115886.tif 000002
【特許請求の範囲】
【請求項１】
一対のファスナーストリンガー（２）にして、各ファスナーストリンガー（２）が、ファスナーテープ（３）と、前記ファスナーテープ（３）の側縁部（３２）に沿って隙間（４９）を空けて複数のファスナーエレメント（４）が設けられたファスナーエレメント列を含む、一対のファスナーストリンガー（２）と、
前記一対のファスナーストリンガー（２）を開閉するための少なくとも一つのスライダー（５）と、
前記ファスナーエレメント列に隣接した位置で前記ファスナーテープ（３）の側縁部（３２）に対して取り付けられた止め具（６，７）を備え、
次の（ｉ）〜（ｉｉｉ）の少なくとも一つの条件を満足する：
（ｉ）前記止め具（６，７）は、前記ファスナーエレメント（４）の厚みよりも小さい厚みを有する少なくとも一つの薄肉部（６１，７１）及び／又は前記止め具（６，７）を上下方向に貫通する少なくとも一つの貫通孔（６８）を有し、前記薄肉部（６１，７１）及び／又は前記貫通孔（６８）は、１以上のファスナーエレメント（４）の再成形により前記止め具（６，７）が得られるように構成される；
（ｉｉ）前記止め具（６，７）は、１つのファスナーエレメント（４）の質量又は２以上のファスナーエレメント（４）の合計質量に準じた質量を有し、また、前記ファスナーエレメント（４）の厚みよりも小さい厚みを有する少なくとも一つの薄肉部（６１，７１）及び／又は前記止め具（６，７）を上下方向に貫通する少なくとも一つの貫通孔（６８）を有する；及び
（ｉｉｉ）前記止め具（６，７）は、前記ファスナーエレメント（４）の厚みよりも小さい厚みを有する少なくとも一つの薄肉部（６１，７１）及び／又は前記止め具（６，７）を上下方向に貫通する少なくとも一つの貫通孔（６８）を有し、前記止め具（６，７）の上面又は下面における前記薄肉部（６１，７１）及び／又は前記貫通孔（６８）の占有面積は、前記止め具（６，７）の上面又は下面の全面積の１／４以上である、スライドファスナー。
【請求項２】
前記止め具（６，７）は、前記薄肉部（６１，７１）又は前記貫通孔（６８）を少なくとも部分的に周囲する厚肉部（６３，７３）を有する、請求項１に記載のスライドファスナー。
【請求項３】
前記厚肉部（６３，７３）は、前記止め具（６，７）の外周壁を含む又は構成する、請求項２に記載のスライドファスナー。
【請求項４】
前記止め具（６，７）が前記薄肉部（６１，７１）を備える請求項１乃至３のいずれか一項に記載のスライドファスナーであって、
前記止め具（６，７）は、前記薄肉部（６１，７１）に応じて形成された上側及び／又は下側の凹部（６２，７２）を更に備える、スライドファスナー。
【請求項５】
前記止め具（６，７）が前記上側及び下側の凹部（６２，７２）を備える請求項４に記載のスライドファスナーであって、
前記上側の凹部（６２，７２）の深さは、前記下側の凹部（６２，７２）の深さに等しい、スライドファスナー。
【請求項６】
前記止め具（６，７）は、前記ファスナーエレメント（４）と同一の材料から成り、前記ファスナーエレメント（４）と同一の色を有する、請求項１乃至５のいずれか一項に記載のスライドファスナー。
【請求項７】
前記止め具（６，７）が前記薄肉部（６１，７１）を備える請求項１乃至６のいずれか一項に記載のスライドファスナーであって、
前記薄肉部（６１，７１）の最小厚（ＴＨ６１，ＴＨ７１）は、前記ファスナーエレメント（４）の厚み（ＴＨ４）の３／４以下である、スライドファスナー。
【請求項８】
前記薄肉部（６１，７１）の最小厚（ＴＨ６１，ＴＨ７１）は、前記ファスナーエレメント（４）の厚み（ＴＨ４）の１／２以下である、請求項７に記載のスライドファスナー。
【請求項９】
前記止め具（６，７）は、前記ファスナーエレメント（４）と部分的に類似した形状のエレメント類似部（６７，７７）を含む、請求項１乃至８のいずれか一項に記載のスライドファスナー。
【請求項１０】
前記エレメント類似部（６７，７７）は、前記スライダー（５）の移動方向に一致する前後方向に延びる溝（６７５，７７５）を有する、請求項９に記載のスライドファスナー。
【請求項１１】
前記エレメント類似部（６７，７７）は、前記スライダー（５）の移動方向に一致する前後方向に関して前記ファスナーエレメント（４）を前側部分と後側部分に２分割する場合の前記前側部分に類似する部分を含む、請求項９又は１０に記載のスライドファスナー。
【請求項１２】
スライドファスナー用の止め具（６，７）の製造方法であって、
ファスナーテープ（３）の側縁部（３２）に沿って隙間（４９）を空けて複数のファスナーエレメント（４）が設けられた少なくとも一つのファスナーストリンガー（２）において隣接した２以上のファスナーエレメント（４）を上型及び下型（９２，９１）の間に供給する工程と、
前記上型及び下型（９２，９１）の間に供給された前記２以上のファスナーエレメント（４）を前記上型（９２）及び／又は下型（９１）から伝達する熱で軟化又は溶融させる工程と、
前記上型及び下型（９２，９１）により画定されるキャビティー（９２３，９１３）内の軟化又は溶融材料を冷却して前記キャビティー（９２３，９１３）に応じた形状を有する止め具（６，７）を得る工程を含む、止め具の製造方法。
【請求項１３】
前記キャビティー（９２３，９１３）は、前記ファスナーエレメント（４）に少なくとも一つの薄肉部（６１，７１）及び／又は少なくとも一つの貫通孔（６８）を形成するように形状付けられ、
前記２以上のファスナーエレメント（４）の間の隙間（４９）が軟化又は溶融材料で埋められる、請求項１２に記載の止め具の製造方法。
【請求項１４】
スライドファスナーの止め具の製造用の金型装置であって、
ファスナーテープ（３）の側縁部（３２）に沿って隙間（４９）を空けて複数のファスナーエレメント（４）が設けられた少なくとも一つのファスナーストリンガー（２）において隣接した２以上のファスナーエレメント（４）を再成形するためのキャビティー（９２３，９１３）が設けられた上型及び下型（９２，９１）を備え、
前記キャビティー（９２３，９１３）は、前記２以上のファスナーエレメント（４）の間の隙間（４９）を軟化又は溶融材料で埋めるべく前記ファスナーエレメント（４）に少なくとも一つの薄肉部（６１，７１）及び／又は少なくとも一つの貫通孔（６８）を形成するように形状付けられる、金型装置。
【発明の詳細な説明】
【技術分野】
【０００１】
本開示は、スライドファスナー、止め具の製造方法及び金型装置に関する。
【背景技術】
【０００２】
ファスナーテープの側縁部に射出成形された樹脂製のファスナーエレメントに隣接して樹脂製の止め具を射出成形する場合、例外的な製品を除いて、ファスナーエレメントと同一色の樹脂を止め具の射出成形機に供給している。【０００３】
特許文献１は、レーザー光によりモノフィラメントが螺旋状に巻かれたコイル状ファスナーエレメントを部分的に溶融固着させて止め具を形成することを開示する。特許文献２は、超音波によりファスナーエレメントを溶着固着させて止め具を形成することを開示する。
【先行技術文献】
【特許文献】
【０００４】
【特許文献１】国際公開第２０１２／０２５９９８号
【特許文献２】特開昭５４−５８５４９号公報
【発明の概要】
【発明が解決しようとする課題】
【０００５】
ファスナーエレメントの色との関係において止め具の色を決定し、また管理する負担がある。
【課題を解決するための手段】
【０００６】
本開示の一態様に係るスライドファスナーは、一対のファスナーストリンガーにして、各ファスナーストリンガーが、ファスナーテープと、前記ファスナーテープの側縁部に沿って隙間を空けて複数のファスナーエレメントが設けられたファスナーエレメント列を含む、一対のファスナーストリンガーと、
前記一対のファスナーストリンガーを開閉するための少なくとも一つのスライダーと、
前記ファスナーエレメント列に隣接した位置で前記ファスナーテープの側縁部に対して取り付けられた止め具を備え、
次の（ｉ）〜（ｉｉｉ）の少なくとも一つの条件を満足する：
（ｉ）前記止め具は、前記ファスナーエレメントの厚みよりも小さい厚みを有する少なくとも一つの薄肉部及び／又は前記止め具を上下方向に貫通する少なくとも一つの貫通孔を有し、前記薄肉部及び／又は前記貫通孔は、１以上のファスナーエレメントの再成形により前記止め具が得られるように構成される；
（ｉｉ）前記止め具は、１つのファスナーエレメントの質量又は２以上のファスナーエレメントの合計質量に準じた質量を有し、また、前記ファスナーエレメントの厚みよりも小さい厚みを有する少なくとも一つの薄肉部及び／又は前記止め具を上下方向に貫通する少なくとも一つの貫通孔を有する；及び
（ｉｉｉ）前記止め具は、前記ファスナーエレメントの厚みよりも小さい厚みを有する少なくとも一つの薄肉部及び／又は前記止め具を上下方向に貫通する少なくとも一つの貫通孔を有し、前記止め具の上面又は下面における前記薄肉部及び／又は前記貫通孔の占有面積は、前記止め具の上面又は下面の全面積の１／４以上である。【０００７】
幾つかの実施形態では、前記止め具は、前記薄肉部又は前記貫通孔を少なくとも部分的に周囲する厚肉部を有する。幾つかの場合、前記厚肉部は、前記止め具の外周壁を含む又は構成する。【０００８】
幾つかの実施形態では、前記止め具は、前記ファスナーエレメントと部分的に類似した形状のエレメント類似部を含む。幾つかの場合、前記エレメント類似部は、前記スライダーの移動方向に一致する前後方向に延びる溝を有する。幾つかの場合、前記エレメント類似部は、前記スライダーの移動方向に一致する前後方向に関して前記ファスナーエレメントを前側部分と後側部分に２分割する場合の前記前側部分に類似する部分を含む。【０００９】
本開示の一態様に係るスライドファスナー用の止め具の製造方法は、
ファスナーテープの側縁部に沿って隙間を空けて複数のファスナーエレメントが設けられた少なくとも一つのファスナーストリンガーにおいて隣接した２以上のファスナーエレメントを上型及び下型の間に供給する工程と、
前記上型及び下型の間に供給された前記２以上のファスナーエレメントを前記上型及び／又は下型から伝達する熱で軟化又は溶融させる工程と、
前記上型及び下型により画定されるキャビティー内の軟化又は溶融材料を冷却して前記キャビティーに応じた形状を有する止め具を得る工程を含む。【００１０】
幾つかの実施形態では、前記キャビティーは、前記ファスナーエレメントに少なくとも一つの薄肉部及び／又は少なくとも一つの貫通孔を形成するように形状付けられる。前記２以上のファスナーエレメントの間の隙間が軟化又は溶融材料で埋められる。【００１１】
本開示の一態様に係るスライドファスナーの止め具の製造用の金型装置は、
ファスナーテープの側縁部に沿って隙間を空けて複数のファスナーエレメントが設けられた少なくとも一つのファスナーストリンガーにおいて隣接した２以上のファスナーエレメントを再成形するためのキャビティーが設けられた上型及び下型を備え、
前記キャビティーは、前記２以上のファスナーエレメントの間の隙間を軟化又は溶融材料で埋めるべく前記ファスナーエレメントに少なくとも一つの薄肉部及び／又は少なくとも一つの貫通孔を形成するように形状付けられる。
【発明の効果】
【００１２】
本開示の一態様によれば、ファスナーテープの側縁部に沿って隙間を空けて設けられた複数のファスナーエレメントから止め具を形成することができる。
【図面の簡単な説明】
【００１３】
【図１】本開示の一態様に係るスライドファスナーの概略的な正面模式図であり、スライドファスナーの上面を示す。
【図２】本開示の一態様に係るスライドファスナーに含まれる後止めの概略的な斜視図である。左右のファスナーテープの図示は省略される。
【図３】本開示の一態様に係るスライドファスナーに含まれる後止めの概略的な上面図である。左右のファスナーテープの図示は省略される。
【図４】図３の一点鎖線ＩＶ−ＩＶに沿う後止めの概略的な断面図である。
【図５】本開示の一態様に係る後止めとこれに隣接したファスナーエレメントの概略的な側面、及び後止めの概略的な部分断面を示す模式図である。
【図６】本開示の一態様に係るスライドファスナーに含まれる前止めの概略的な斜視図である。左右のファスナーテープの図示は省略される。
【図７】本開示の一態様に係るスライドファスナーに含まれる前止めの概略的な上面図である。左右のファスナーテープの図示は省略される。
【図８】図７の一点鎖線ＶＩＩＩ−ＶＩＩＩに沿う前止めの概略的な断面図である。
【図９】本開示の一態様に係る前止めの概略的な側面を示す模式図である。
【図１０】本開示の一態様に係る後止めが複数のファスナーエレメントの再成形により形成されることを示す模式図である。
【図１１】本開示の一態様に係る前止めが複数のファスナーエレメントの再成形により形成されることを示す模式図である。
【図１２】スペーサー部が形成されたファスナーチェーンの概略的な正面模式図である。
【図１３】ファスナーチェーンの各ファスナーストリンガーにおいて複数のファスナーエレメントが金型装置の上型と下型の間に挟まれることを示す模式図である。
【図１４】ファスナーチェーンにおいて複数の左右のファスナーエレメントが金型装置の上型と下型の間に挟まれることを示す模式図である。
【図１５】本開示の一態様に係る金型装置の概略図である。
【図１６】薄肉部及び貫通孔が後止めに形成される形態を示す後止めの概略的な上面図である。
【図１７】図１６の一点鎖線Ｘ１７−Ｘ１７に沿う後止めの概略的な断面図である。
【図１８】貫通孔が後止めに形成される形態を示す後止めの概略的な上面図である。
【図１９】図１８の一点鎖線Ｘ１９−Ｘ１９に沿う後止めの概略的な断面図である。
【図２０】後止めの別形態を示す概略的な上面図である。
【図２１】前止めの別形態を示す概略的な上面図である。
【図２２】前止めの別形態を示す概略的な上面図である。
【図２３】後止めの別形態を示す概略的な上面図であり、（ａ）が上面図、（ｂ）が（ａ）の一点破線Ｘ２３−Ｘ２３沿いの断面図を示す。
【図２４】後止めの別形態を示す概略的な上面図であり、（ａ）が上面図、（ｂ）が（ａ）の一点破線Ｘ２４−Ｘ２４沿いの断面図を示す。
【図２５】後止めの別形態を示す概略的な上面図であり、（ａ）が上面図、（ｂ）が（ａ）の一点破線Ｘ２５−Ｘ２５沿いの断面図を示す。
【図２６】前止めの別形態を示す概略図であり、（ａ）が上面図、（ｂ）が（ａ）の一点破線Ｘ２６−Ｘ２６沿いの断面図を示す。
【図２７】前止めの別形態を示す概略図であり、（ａ）が上面図、（ｂ）が（ａ）の一点破線Ｘ２７−Ｘ２７沿いの断面図を示す。
【発明を実施するための形態】
【００１４】
以下、図１乃至図２７を参照しつつ非限定の様々な特徴について説明する。ある実施形態に関して記述されるある特徴は、その実施形態に限らず、本願に図示又は説明されていない他の様々な実施形態に通用するものと理解される。従って、ある実施形態から抽出されるある特徴は、その実施形態から抽出される他の特徴との組み合わせを必ずしも必要としないものと理解される。参照図面は、発明の記述を主たる目的とするものであり、作図の便宜のために簡略化されている場合がある。
【００１５】
図１は、スライドファスナー１の概略的な正面模式図であり、スライドファスナー１の上面を示す。図２は、スライドファスナー１に含まれる後止め６の概略的な斜視図である。左右のファスナーテープ３の図示は省略される。図３は、スライドファスナー１に含まれる後止め６の概略的な上面図である。左右のファスナーテープ３の図示は省略される。図４は、図３の一点鎖線ＩＶ−ＩＶに沿う後止め６の概略的な断面図である。図５は、後止め６とこれに隣接したファスナーエレメント４の概略的な側面、及び後止め６の概略的な部分断面を示す模式図である。図６は、スライドファスナー１に含まれる前止め７の概略的な斜視図である。左右のファスナーテープ３の図示は省略される。図７は、スライドファスナー１に含まれる前止め７の概略的な上面図である。左右のファスナーテープ３の図示は省略される。図８は、図７の一点鎖線ＶＩＩＩ−ＶＩＩＩに沿う前止め７の概略的な断面図である。図９は、前止め７の概略的な側面を示す模式図である。図１０は、後止め６が複数のファスナーエレメント４の再成形により形成されることを示す模式図である。図１１は、前止め７が複数のファスナーエレメント４の再成形により形成されることを示す模式図である。図１２は、スペーサー部が形成されたファスナーチェーンの概略的な正面模式図である。図１３は、ファスナーチェーン８の各ファスナーストリンガー２において複数のファスナーエレメント４が金型装置９の上型と下型の間に挟まれることを示す模式図である。図１４は、ファスナーチェーン８において複数の左右のファスナーエレメント４が金型装置９の上型と下型の間に挟まれることを示す模式図である。図１５は、金型装置９の概略図である。図１６は、薄肉部６１及び貫通孔６８が後止め６に形成される形態を示す後止め６の概略的な上面図である。図１７は、図１６の一点鎖線Ｘ１７−Ｘ１７に沿う後止め６の概略的な断面図である。図１８は、貫通孔６８が後止め６に形成される形態を示す後止め６の概略的な上面図である。図１９は、図１８の一点鎖線Ｘ１９−Ｘ１９に沿う後止め６の概略的な断面図である。図２０は、後止め６の別形態を示す概略的な上面図である。図２１及び２２は、前止め７の別形態を示す概略的な上面図である。図２３は、後止め６の別形態を示す概略的な上面図であり、（ａ）が上面図、（ｂ）が（ａ）の一点破線Ｘ２３−Ｘ２３沿いの断面図を示す。図２４は、後止め６の別形態を示す概略的な上面図であり、（ａ）が上面図、（ｂ）が（ａ）の一点破線Ｘ２４−Ｘ２４沿いの断面図を示す。図２５は、後止め６の別形態を示す概略的な上面図であり、（ａ）が上面図、（ｂ）が（ａ）の一点破線Ｘ２５−Ｘ２５沿いの断面図を示す。図２６は、前止め７の別形態を示す概略図であり、（ａ）が上面図、（ｂ）が（ａ）の一点破線Ｘ２６−Ｘ２６沿いの断面図を示す。図２７は、前止め７の別形態を示す概略図であり、（ａ）が上面図、（ｂ）が（ａ）の一点破線Ｘ２７−Ｘ２７沿いの断面図を示す。
【００１６】
図１に示すように、スライドファスナー１は、左右一対のファスナーストリンガー２と、左右一対のファスナーストリンガー２を開閉するための少なくとも一つのスライダー５を有する。各ファスナーストリンガー２は、ファスナーテープ３と、ファスナーエレメント４の列を含む。ファスナーエレメント４の列は、ファスナーテープ３の側縁部３２に沿って隙間４９を空けて設けられた複数のファスナーエレメント４を含む。ファスナーエレメント４は、樹脂製のファスナーエレメントである。図１に図示のスライドファスナー１とは異なる種類、例えば、隠しスライドファスナーの形態も想定されることに留意されたい。
【００１７】
スライダー５の前進により一対のファスナーストリンガー２が閉じられ、スライダー５の後進により一対のファスナーストリンガー２が開けられる。本明細書では、特にスライドファスナー１に関して、スライダー５の移動方向に即して前後方向が理解される。左右方向は、スライダー５により開閉される一対のファスナーストリンガー２に照らして理解される。上下方向は、前後方向及び左右方向に直交する。なお、本明細書の他の記述に照らして、これらの方向が再定義可能であるものとする。
【００１８】
ファスナーテープ３は、典型的には、織物又は編物又はこれらの混在物であり、可撓性を有する。ファスナーテープ３は、いずれも前後方向に延びるテープ主体部３１と側縁部３２を有する。側縁部３２には芯紐が設けられ、ファスナーテープ３に対するファスナーエレメント４の取り付け強度が高められる。
【００１９】
ファスナーエレメント４は、ファスナーテープ３の側縁部３２、端的には芯紐に取り付けられる基部４１、基部４１に連結した首部４２、首部４２を介して基部４１に連結した頭部４３を有する。首部４２及び頭部４３は、ファスナーテープ３外に設けられる。ファスナーエレメント４は、オプションとして、首部４２を挟むように設けられた突起４４を有する。頭部４３の先端面に結合相手のファスナーエレメント４の突起４４との干渉を回避するための溝４５が設けられる（図５参照）。なお、ファスナーエレメントは本開示以外の様々な形状を取ることができる。幾つかの場合、ファスナーエレメント４の頭部４３に溝４５が設けられない。ファスナーエレメント４は、射出成形機の金型装置のキャビティー内にファスナーテープ３を配置した状態で金型装置のキャビティーに溶融樹脂を供給するインサート成形法により製造される。ファスナーエレメント４がファスナーテープ３に対して他の方法、例えば、加締めにより取り付けられる形態も想定される。ファスナーエレメント４が、図１及び図５に示すものとは異なる形状を有する形態も容易に想定されることに留意されたい。
【００２０】
スライダー５は、スライドファスナー１の種類に応じて適切に構成される。スライダー５は、典型的には、上翼板、下翼板、上翼板と下翼板を連結する連結柱を有し、連結柱の左右に前口が設けられ、左右の前口の反対側に一つの後口を有する。スライダー５内にＹ字状のエレメント通路が設けられる。スライダー５が後進する場合、スライダー５の後口を介して結合状態の左右のファスナーエレメント４がスライダー５内に進入し、スライダー５内において連結柱により分離される。その後、スライダー５の左右の前口を介して左右のファスナーエレメント４が個別にスライダー５外に出る。
【００２１】
本開示の一態様に係るスライドファスナー１は、ファスナーエレメント４の列に隣接した位置でファスナーテープ３の側縁部３２に対して取り付けられた止め具を有する。止め具は、スライダー５の前進又は後進を阻止するべく設けられる。止め具は、ファスナーエレメント４と同一の材料（例えば、熱可塑性樹脂）から成り、ファスナーエレメント４と同一の色を有する。一つのファスナーストリンガー２に含まれる複数のファスナーエレメント４が、第１色のファスナーエレメント４と、第２色のファスナーエレメント４を有する場合、止め具の色は、第１色、又は第２色、又は第１色と第２色が混ざった色であり得る。止め具は、典型的には、１つの後止め６、又は１つ又は２つの前止め７、又はこれらの組み合わせである。追加又は代替的に、後止めが図示の２つの前止め７と同一の態様で形成される形態も想定される。追加又は代替的に、前止めが、図示の一つの後止め６と同一の態様で形成される形態も想定される。後止め６は、結合した左右のファスナーエレメント４の列の後端に隣接した位置で左右のファスナーテープ３の側縁部３２に対して取り付けられる。左側の前止め７は、左側のファスナーエレメント４の列の前端に隣接した位置で左側のファスナーテープ３の側縁部３２に対して取り付けられる。左側を右側で置換することにより左側の前止め７についてしたものと同様の説明が右側の前止め７に当てはまる。
【００２２】
後止め６は、スライダー５内に進入することができる前側部分を有し得る。後止め６の前側部分がスライダー５の連結柱に衝突し、これにより、スライダー５の後進が阻止される。後止め６は、スライダー５内に進入することができない部分を有し得る。図２０を含む幾つかの場合、後止め６の前側部分に左右方向に突出したこぶ６９が設けられ、後止め６の前側部分がスライダー５内に進入することが阻止される。スライダー５が、この後止め６のこぶ６９に衝突することによりスライダー５の後進が阻止される。
【００２３】
前止め７全体がスライダー５内に進入することができ得る。左右の前止め７がスライダー５内の連結柱と後口の間で衝突し、スライダー５の前進が阻止される。前止め７は、スライダー５内に進入することができない部分を有し得る。図２１を含む幾つかの場合、前止め７の前側部分に左右方向に突出したこぶ７９が設けられ、前止め７の前側部分がスライダー５内に進入することが阻止される。スライダー５が、この前止め７のこぶ７９に衝突することによりスライダー５の前進が阻止される。
【００２４】
後止め６及び前止め７といった止め具は、後述の説明から理解されるように、ファスナーエレメント４とは異なり、金型装置のキャビティー内に溶融樹脂を新たに供給して形成されない。止め具は、ファスナーエレメント４の再成形により形成される。止め具の材料は、当初、ファスナーエレメント４の形状に成形され、次に止め具の形状に成形される。一見すると、これは、止め具の製造の複雑さを冗長するものに見える。しかしながら、本願発明者は、ファスナーエレメント４の再成形に基づいて止め具を形成することにより、ファスナーエレメント４の色との関係において止め具の色を決定し、また管理する負担が低減されることを新たに見出した。
【００２５】
本実施形態においては、止め具は、ファスナーエレメント４から形成されるため、ファスナーエレメント４と同一材料（例えば、熱可塑性樹脂）から成り、ファスナーエレメント４と同一の色を有することができる。従って、ファスナーエレメント４と同一の色（例えば、赤、青、緑）の材料（例えば、熱可塑性樹脂）を止め具の形成のために用意する手間が回避又は低減される。例えば、一方で、赤色のファスナーエレメントと同色の止め具の形成のために赤色の樹脂を用意し、他方で、青色のファスナーエレメントと同色の止め具の形成のために青色の樹脂を用意する手間が回避又は低減される。同一の止め具の射出成形機を用いて異なる色の止め具を成形する場合、一般的に止め具の色の変更に伴って射出成形機における追加作業が生じる（射出成形機の流路における前回の樹脂材料の洗い流し等）。止め具がファスナーエレメント４の再成形に基づいて成形される場合、止め具の形成に関してそのような手間が回避又は低減される。
【００２６】
止め具がファスナーエレメント４の再成形により形成されることは、次のいずれかの条件により表される。
（条件１）
止め具６，７は、ファスナーエレメント４の厚みよりも小さい厚みを有する少なくとも一つの薄肉部６１，７１及び／又は止め具６，７を上下方向に貫通する少なくとも一つの貫通孔６８を有する。薄肉部６１，７１及び／又は貫通孔６８は、１以上のファスナーエレメント４の再成形により止め具６，７が得られるように構成される。追加又は代替として、薄肉部６１，７１及び／又は貫通孔６８は、２以上のファスナーエレメント４が止め具６，７と同一形状に再成形される時、その２以上のファスナーエレメント４がお互いに結合することを許すように構成される。
（条件２）
止め具６，７は、１つのファスナーエレメント４の質量又は２以上のファスナーエレメント４の合計質量に準じた質量を有する。質量の代替として重量が参照され得る。止め具６，７は、ファスナーエレメント４の厚みよりも小さい厚みを有する少なくとも一つの薄肉部６１，７１及び／又は止め具６，７を上下方向に貫通する少なくとも一つの貫通孔６８を有する。
（条件３）
止め具６，７は、ファスナーエレメント４の厚みよりも小さい厚みを有する少なくとも一つの薄肉部６１，７１及び／又は止め具６，７を上下方向に貫通する少なくとも一つの貫通孔６８を有する。止め具６，７の上面又は下面における薄肉部６１，７１及び／又は貫通孔６８の占有面積は、止め具６，７の上面又は下面の全面積の１／４以上である。
【００２７】
条件１に関して、図示例を含む幾つかの場合、後止め６は、結合した複数の左右のファスナーエレメント４の再成形により形成され得る（図１０参照）。前止め７は、ファスナーテープ３の側縁部３２において隣接した複数のファスナーエレメント４の再成形により形成され得る（図１１参照）。前止め７は、ファスナーテープ３の側縁部３２における１つのファスナーエレメント４の再成形により形成され得る（図２２参照）。
【００２８】
図１０及び図１１において止め具の材料の供給源であるファスナーエレメント４（又はその部分）が点線により示される。図１０及び図１１に示すように前後方向又は左右方向で隣接したファスナーエレメント４の間の隙間４９を埋めるため、後止め６及び前止め７は、ファスナーエレメント４の厚みよりも小さい厚みを有する少なくとも一つの薄肉部６１，７１（例えば、図２乃至図１１参照）及び／又は止め具６，７を上下方向に貫通する少なくとも一つの貫通孔６８（例えば、図１６乃至図１９参照）を有する。ファスナーエレメント４の元形状の外に押し出される所定量の材料が確保され、ファスナーエレメント４の間の隙間４９が埋められ、ファスナーエレメント４が一つの止め具に一体化される。
【００２９】
止め具に設けられる薄肉部６１，７１及び／又は貫通孔６８は、１つ又は２以上のファスナーエレメント４の再成形により止め具６，７が得られるように構成される。２以上のファスナーエレメント４が止め具６，７と同一形状に再成形される場合、薄肉部６１，７１及び／又は貫通孔６８は、その２以上のファスナーエレメント４がお互いに結合することを許すように構成される。言うまでもなく、本明細書で述べる再成形は、熱可塑性樹脂の追加を必要としない。止め具における薄肉部６１，７１の占有空間は、ファスナーエレメント４の変形量に相関する。同様、止め具における貫通孔６８の占有空間は、ファスナーエレメント４の変形量に相関する。薄肉部６１，７１の占有空間及び／又は貫通孔６８の占有空間は、ファスナーエレメント４の元形状や目標とする止め具の形状に依存して様々であろうが、１つ又は２以上のファスナーエレメント４が止め具６，７と同一形状に再成形されることを許し（結果として、スライダー５の移動が阻止される）、又は、２以上のファスナーエレメント４がお互いに結合することを許す程度のものである。
【００３０】
条件１では、同一のスライドファスナー１に含まれる複数のファスナーエレメント４が止め具と同一の形状に再成形されることを想定し、止め具の薄肉部６１，７１及び／又は貫通孔６８の構成又は占有空間（空間的広がり）の程度を評価している。なお、薄肉部６１，７１の占有空間には止め具の材料中の偶発的な泡（ボイド）が存在し得る。貫通孔６８は、止め具の材料が除かれた材料が無い空間である。
【００３１】
条件２は、止め具が、１つ又は２以上のファスナーエレメント４の再成形により形成されることの帰結として、止め具６，７が、１つのファスナーエレメント４の質量又は２以上のファスナーエレメント４の合計質量に準じた質量を有することを特定する。言うまでも無く、この条件は、条件１の代替又は追加条件である。例えば、図１０に示す場合、後止め６は、合計４個のファスナーエレメント４の合計質量に準じた質量を有する。図１１に示す場合、前止め７は、合計２個のファスナーエレメント４の合計質量に準じた質量を有する。止め具の質量がファスナーエレメント４の合計質量に準じることは、止め具の質量がファスナーエレメント４の合計質量の±５％（又は±２％）以内にあることを意味する。止め具を選択的に溶融し、得られた立方体状の固形物の質量を止め具の質量として用いることができる。ファスナーエレメント４の合計質量も同様、ファスナーエレメント４を選択的に溶融し、得られた立方体状の固形物の質量を用いることができる。なお、条件２は、条件１と同様、止め具６，７が、少なくとも一つの薄肉部６１，７１及び／又は少なくとも一つの貫通孔６８を有することを特定する。
【００３２】
条件３は、止め具６，７の上面又は下面における薄肉部６１，７１及び／又は貫通孔６８の占有面積は、止め具６，７の上面又は下面の全面積の１／４以上であることを特定する。言うまでも無く、この条件は、条件１の代替又は追加条件であり、又は、条件２の代替又は追加条件である。止め具６，７の上面又は下面の全面積における薄肉部６１，７１及び／又は貫通孔６８の占有面積の増加は、ファスナーエレメント４の元形状の外に押し出される材料の量の増加を意味する。なお、条件３は、条件１，２と同様、止め具６，７が、少なくとも一つの薄肉部６１，７１及び／又は少なくとも一つの貫通孔６８を有することを特定する。
【００３３】
以下、止め具に関する様々な特徴についてより具体的に特定する。図２乃至図５に示すように、後止め６は、薄肉部６１、薄肉部６１に応じて形成された上側及び下側の凹部６２、薄肉部６１よりも厚い厚肉部６３、左右のファスナーテープ３を個別に保持する左右のテープ保持部６４、左右の芯紐を個別に保持する左右の芯紐保持部６５、及びファスナーエレメント４と部分的に類似した形状のエレメント類似部６７を有する。後止め６における薄肉部６１の占有空間は、複数のファスナーエレメント４の再成形により後止め６が形成される際、ファスナーエレメント４の間がファスナーエレメント４の材料により埋められて複数のファスナーエレメント４が一つの後止め６に一体化するのに十分なものである。後止め６の上面又は下面における薄肉部６１の占有面積は、後止め６の上面又は下面の全面積の１／４以上である。
【００３４】
薄肉部６１は、（上下方向の）厚みＴＨ６１が一定の平板部６１ｍと、平板部６１ｍから離れるに応じて（上下方向の）厚みＴＨ６１が増加するテーパー部６１ｎを有する。なお、テーパー部６１ｎの代替として垂直面を設ける形態も想定される。テーパー部６１ｎは、芯紐の露出を回避する利点を有する。図５から分かるように、薄肉部６１（平板部６１ｍ及びテーパー部６１ｎ）の厚みＴＨ６１は、ファスナーエレメント４の厚みＴＨ４よりも小さい。ファスナーエレメント４の厚みＴＨ４は、ファスナーエレメント４の基部４１又は頭部４３の最大厚である。幾つかの場合、薄肉部６１，７１の最小厚ＴＨ６１，ＴＨ７１は、ファスナーエレメント４の厚みＴＨ４の４／５以下、３／４以下、又は１／２以下、又は１／３以下である。
【００３５】
後止め６が上側凹部６２と下側凹部６２を有する場合、複数のファスナーエレメント４の再成形に基づいて後止め６が形成される際、ファスナーエレメント４の元形状の外に押し出される材料の量がファスナーエレメント４の上部及び下部の間で均等化させられる。幾つかの場合、上側凹部６２の深さＤ６２は、下側凹部６２の深さＤ６２に等しく、ファスナーエレメント４の元形状の外に押し出される材料の量の均等化が更に促進される。必ずしもこの限りではないが、凹部６２は、芯紐を露出させない態様で設けられる。芯紐の露出の回避により、芯紐に対する止め具のより十分な取付強度が確保される。
【００３６】
凹部６２は、底面６２ａと側面６２ｂを有する。側面６２ｂが底面６２ａに対して傾斜した傾斜面である場合、複数のファスナーエレメント４が後止め６に再成形される時、ファスナーエレメント４の変形量が時間の経過とともに徐々に増加することが促進される。
【００３７】
後止め６が厚肉部６３を有する場合、複数のファスナーエレメント４の再成形に基づいて後止め６が形成される際、ファスナーエレメント４の元形状の外に押し出される材料が金型装置のキャビティー外に出てしまうことが抑制される。必ずしもこの限りではないが、厚肉部６３は、薄肉部６１を周囲するように設けられる。幾つかの場合、厚肉部６３は、後止め６の外周壁を含む又は構成する。外周壁は、後止めの外周において途切れることなく連続して延びる。追加又は代替として、厚肉部６３は、薄肉部６１の外周の一部又は全体に沿って延びる外周壁を構成する。この外周壁は、薄肉部６１の上面から上方に隆起し、及び／又は、薄肉部６１の下面から下方に隆起する。厚肉部６３が形成されない形態も容易に想定される。例えば、後止め６は、一定厚の平板部分である。この場合、後止め６は、スライダー５内に進入することができない部分を有すると想定される。なお、後止め６の外周の少なくとも一部に沿ってファスナーテープ３が局所的に平滑化された平滑面６００が形成され得る（図１参照）。このような微小な平滑面６００は、目立つものではなく、スライドファスナー１の使用に特段の障害にはならない。
【００３８】
本開示に係る後止め６は、エレメント類似部６７を有する。これは、後止め６が、ファスナーエレメント４の再成形により形成されることの帰結である。エレメント類似部６７は、ファスナーエレメント４の一部に類似する部分である。従って、後止め６の形状に依存して、エレメント類似部６７は、ファスナーエレメント４の基部４１（又はその一部）、首部４２（又はその一部）、頭部４３（又はその一部）に類似し得る。後止め６は、図２及び図３に示すように、スライダー５の移動方向に一致する前後方向に関してファスナーエレメント４を前側部分と後側部分に２分割する場合の前側部分に類似するエレメント類似部６７を有する。換言すれば、後止め６は、ファスナーエレメント４の基部４１の前半分、首部４２の前半分、及び頭部４３の前半分を含む。ファスナーエレメント４が突起４４，溝４５を有する場合、エレメント類似部６７は、前側の突起４４と溝４５を有する。なお、ファスナーエレメント４の再成形の過程で突起４４及び溝４５に変形が生じ、あるいは、突起４４及び溝４５が部分的又は全体的に消失することも想定される。
【００３９】
図６乃至図９に示すように、前止め７は、薄肉部７１、薄肉部７１に応じて形成された上側及び下側の凹部７２、薄肉部７１の外周に沿って延びる厚肉部７３、ファスナーテープ３を保持するテープ保持部７４、芯紐を保持する芯紐保持部７５、及びファスナーエレメント４と部分的に類似した形状のエレメント類似部７７を有する。前止め７における薄肉部７１の占有空間は、複数のファスナーエレメント４の再成形により前止め７が形成される際、ファスナーエレメント４の間がファスナーエレメント４の材料により埋められて複数のファスナーエレメント４が一つの前止め７に一体化するのに十分なものである。前止め７の上面又は下面における薄肉部７１の占有面積は、前止め７の上面又は下面の全面積の１／４以上である。
【００４０】
薄肉部７１は、（上下方向の）厚みＴＨ７１が一定の平板部を有する。薄肉部７１（平板部）の厚みＴＨ７１は、ファスナーエレメント４の厚みＴＨ４よりも小さい。幾つかの場合、薄肉部７１の最小厚ＴＨ７１は、ファスナーエレメント４の厚みＴＨ４の３／４以下、又は１／２以下、又は１／３以下である。
【００４１】
前止め７が上側凹部７２と下側凹部７２を有する場合、複数のファスナーエレメント４の再成形に基づいて前止め７が形成される際、ファスナーエレメント４の元形状の外に押し出される材料の量がファスナーエレメント４の上部及び下部の間で均等化させられる。幾つかの場合、上側凹部７２の深さＤ７２は、下側凹部７２の深さＤ７２に等しく、ファスナーエレメント４の元形状の外に押し出される材料の量の均等化が更に促進される。必ずしもこの限りではないが、凹部７２は、芯紐を露出させない態様で設けられる。芯紐の露出の回避により、芯紐に対する止め具のより十分な取付強度が確保される。
【００４２】
凹部７２は、底面７２ａと側面７２ｂを有する。側面７２ｂが底面７２ａに対して垂直な面である場合、複数のファスナーエレメント４が前止め７に再成形される時、より大きなファスナーエレメント４の変形量が得られることが促進される。側面７２ｂがテーパー面であり、又は連続した複数の段差面を含む形態も想定される。
【００４３】
前止め７が厚肉部７３を有する場合、複数のファスナーエレメント４の再成形に基づいて前止め７が形成される際、ファスナーエレメント４の元形状の外に押し出される材料が金型装置のキャビティー外に出てしまうことが抑制される。必ずしもこの限りではないが、厚肉部７３は、薄肉部７１を周囲するように設けられる。幾つかの場合、厚肉部７３は、前止め７の外周壁を含む又は構成する。外周壁は、前止めの外周において途切れることなく連続して延びる。追加又は代替として、厚肉部７３は、薄肉部７１の外周の一部又は全体に沿って延びる外周壁を構成する。この外周壁は、薄肉部７１の上面から上方に隆起し、及び／又は、薄肉部７１の下面から下方に隆起する。厚肉部７３が形成されない形態も容易に想定される。例えば、前止め７は、一定厚の平板部分である。この場合、前止め７は、スライダー５内に進入することができない部分を有すると想定される。なお、前止め７の外周の少なくとも一部に沿ってファスナーテープ３が局所的に溶融して平滑化された平滑面が形成され得る。このような微小な平滑面は、目立つものではなく、スライドファスナー１の使用に特段の障害にはならない。
【００４４】
本開示に係る前止め７は、エレメント類似部７７を有する。これは、前止め７が、ファスナーエレメント４の再成形により形成されることの帰結である。エレメント類似部７７は、ファスナーエレメント４の一部に類似する部分である。従って、前止め７の形状に依存して、エレメント類似部７７は、ファスナーエレメント４の基部４１（又はその一部）、首部４２（又はその一部）、頭部４３（又はその一部）に類似し得る。前止め７は、図６及び図７に示すように、ファスナーエレメント４の頭部４３に類似する（２つの）エレメント類似部７７を有する。ファスナーエレメント４が溝４５を有する場合、エレメント類似部６７は、溝４５又は少なくともその一部を含み得る。ファスナーエレメント４の再成形過程で溝４５に変形が生じ、あるいは、溝４５が部分的又は全体的に消失することが想定される。
【００４５】
以下、スライドファスナー１用の止め具６，７の製造方法について述べる。図１２に示すファスナーチェーン８を用意する。ファスナーチェーン８は、左右のファスナーエレメント４が除去された領域８１、所謂、スペーサー部を有する。これにより止め具の金型装置９（図１３及び図１４参照）、特に上型９２及び下型９１（図１５参照）の配置空間が確保される。金型装置９は、ファスナーテープ３の側縁部３２に沿って隙間４９を空けて複数のファスナーエレメント４が設けられた少なくとも一つのファスナーストリンガー２において隣接した２以上のファスナーエレメント４を再成形するためのキャビティー９２３，９１３が設けられた上型９２及び下型９１を備える。なお、図示の前止め７は、図示の後止め６よりも小さく、必ずしもファスナーチェーン８にスペーサー部を形成する必要はない。
【００４６】
次に、ファスナーテープ３の側縁部３２に沿って隙間４９を空けて複数のファスナーエレメント４が設けられた少なくとも一つのファスナーストリンガー２において隣接した２以上のファスナーエレメント４を上型９２及び下型９１の間に供給する（図１３乃至図１５参照）。次に、上型９２及び下型９１の間隔が減じられ、上型９２及び下型９１がファスナーエレメント４に接触する。上型９２及び下型９１の間に供給された２以上のファスナーエレメント４は、上型９２及び／又は下型９１から伝達する熱で軟化又は溶融する。次に、キャビティー９１３，９２３内の軟化又は溶融材料を冷却してキャビティー９２３，９１３に応じた形状を有する止め具６，７が得られる。ファスナーエレメント４は、上型９２及び下型９１のキャビティー９２３，９１３により止め具の形状に再成形される。
【００４７】
幾つかの場合、上型９２の外周に抵抗加熱用コイルが巻かれ、下型９１の外周に抵抗加熱用コイルが巻かれる。コイルの通電により発生するジュール熱が上型９２と下型９１に伝達し、キャビティー面に接触したファスナーエレメント４に伝達する。ファスナーエレメント４の材料は、この伝達した熱により軟化又は溶融し、キャビティー９２３，９１３の空間を充填する。ファスナーエレメント４の部分的な軟化で十分である形態が想定される。つまり、ファスナーエレメント４においてファスナーテープ３の芯紐の近傍に位置する材料の軟化が必要ではない場合もあり得る。抵抗加熱用コイル以外の熱源も採用可能である。
【００４８】
幾つかの場合、上型９２に冷媒流路９２５が設けられ、下型９１に冷媒流路９１５が設けられる。必ずしもこの限りではないが、冷媒流路９１５，９２５は、キャビティー９１３，９２３が設けられた金型先端部９１２，９２２の外周に冷媒排出口９１５ａ，９２５ａを有する。冷媒流路９１５，９２５からキャビティー９１３，９２３近傍の空間に冷媒が供給され、キャビティー９１３，９２３及びキャビティー９１３，９２３内の溶融材料が選択的に冷却される。
【００４９】
キャビティー９２３，９１３は、２以上のファスナーエレメント４の間の隙間４９を軟化又は溶融材料で埋めるべくファスナーエレメント４に少なくとも一つの薄肉部６１，７１及び／又は少なくとも一つの貫通孔６８を形成するように形状付けられる。ファスナーエレメント４に少なくとも一つの薄肉部６１，７１及び／又は少なくとも一つの貫通孔６８が形成され、ファスナーエレメント４同士が結合して一つの止め具が形成される。キャビティー９１３，９２３は、図１５に模式的に示すようにファスナーエレメント４に薄肉部６１，７１又は貫通孔６８を形成するための凸部９１４，９２４を有する。凸部９１４，９２４は、キャビティー９１３，９２３の底面に凸設される。
【００５０】
図１６及び図１７は、後止め６が、貫通孔６８と、貫通孔６８の外周に設けられた薄肉部６１を有する形態を示す。貫通孔６８は、第１開口端６８ａと、第１開口端６８ａの反対側の第２開口端６８ｂを有する。第１開口端６８ａと第２開口端６８ｂの間を延びる側面６８ｃにより貫通孔６８の断面積が定められる。貫通孔６８は、第１開口端６８ａから第２開口端６８ｂに向けて縮径する。前止め７に貫通孔が形成される形態も同様に理解される。
【００５１】
図１８及び図１９は、後止め６が、貫通孔６８のみを有し、薄肉部６１を有しない形態を示す。貫通孔６８は、第１開口端６８ａと第２開口端６８ｂの間で一定の断面積を有する。前止め７に貫通孔のみが形成される形態も同様に理解される。
【００５２】
図２０に示す場合、後止め６がスライダー５内に進入することが後止め６のこぶ６９により阻止される。図２１に示す場合、前止め７の全体がスライダー５内に進入することが前止め７のこぶ７９により阻止される。こぶ６９，７９の位置や大きさは様々である。例えば、こぶ６９，７９が止め具本体の側面ではなく上面又は下面に形成されることも想定される。
【００５３】
図２２に示す場合、前止め７は、ファスナーエレメント４（不図示）と比較して、薄肉部７１に応じてファスナーエレメント４より上下方向に直交する平面において外側に広がった外周輪郭を有する。
【００５４】
図２３に示す後止め６では、図１０の追加参照から理解されるように、元のファスナーエレメント４（ファスナーエレメント４の前後幅の中心）に対応する位置に薄肉部６１が設けられる。元のファスナーエレメント４の基部４１に対応する位置に薄肉部６１が形成されることが有利である。各薄肉部６１は、厚肉部６３により周囲される。厚肉部６３は、後止め６の外周壁を含む。図示例を含む幾つかの場合、複数の薄肉部６１がジグザグ状に配置される。薄肉部６１の追加又は代替として貫通孔が形成され得る。
【００５５】
図２４に示す後止め６では、図２３と同様、元のファスナーエレメント４（ファスナーエレメント４の前後幅の中心）に対応する位置に薄肉部６１が設けられる。元のファスナーエレメント４の基部４１、首部４２、及び頭部４３に対応する位置に薄肉部６１が形成されることが有利である。各薄肉部６１は、厚肉部６３により周囲される。厚肉部６３は、後止め６の外周壁を含む。追加又は代替として、各薄肉部６１は、各薄肉部６１の外周に沿って延びる厚肉部６３（あるいは単に壁部）により周囲される。前後方向で隣接する薄肉部６１の間にはこれらの薄肉部６１に共通の左右方向に延びる厚肉部６３（あるいは単に壁部）の部分が設けられる。図示例を含む幾つかの場合、複数の薄肉部６１が平行に配置される。最も後方に位置する薄肉部６１は、左右方向における前方の１以上の薄肉部６１の幅よりも小さい幅を有する。薄肉部６１の追加又は代替として貫通孔が形成され得る。
【００５６】
図２５に示す後止め６の場合、薄肉部６１とこぶ６９を有するように複数のファスナーエレメント４が再成形されることにより得られる。薄肉部６１に対して貫通孔を設ける形態も想定される。この後止め６の薄肉部６１は、スライダー５の左右のフランジ部などに衝突し、スライダー５内に進入することができない。
【００５７】
図２６に示す前止め７では、図１１の追加参照から理解されるように、元のファスナーエレメント４（ファスナーエレメント４の前後幅の中心）に対応する位置に薄肉部７１が設けられる。元のファスナーエレメント４の基部４１に対応する位置に薄肉部７１が形成されることが有利である。各薄肉部７１は、厚肉部７３により周囲される。厚肉部７３は、前止め７の外周壁を含む。図示例を含む幾つかの場合、複数の薄肉部７１が平行に配置される。薄肉部７１の追加又は代替として貫通孔が形成され得る。
【００５８】
図２７に示す前止め７は、単一の薄肉部７１を形成するように複数のファスナーエレメント４が再成形されることにより得られる。薄肉部７１に対して貫通孔を設ける形態も想定される。この後止め６の薄肉部７１は、スライダー５の左右のフランジ部などに衝突し、スライダー５内に進入することができない。
【００５９】
本明細書には次のように特徴付けられる止め具も開示されている。
−付記１−
止め具本体と、
前記止め具本体に設けられた薄肉部（６１，７１）又は貫通孔（６８）と、
ファスナーエレメント（４）と部分的に類似した形状のエレメント類似部（６７，７７）を含む、止め具。
−付記２−
前記エレメント類似部（６７，７７）は、スライダー（５）の移動方向に一致する前後方向に延びる溝（６７５，７７５）を有する、付記１に記載の止め具。
−付記３−
前記エレメント類似部（６７，７７）は、スライダー（５）の移動方向に一致する前後方向に関して前記ファスナーエレメント（４）を前側部分と後側部分に２分割する場合の前記前側部分に類似する部分を含む、付記１又は付記２に記載の止め具。
−付記４−
前記薄肉部（６１，７１）又は前記貫通孔（６８）は、厚肉部（６３，７３）により囲まれる、付記１乃至３のいずれかに記載の止め具。
−付記５−
前記薄肉部（６１，７１）及び／又は前記貫通孔（６８）は、１以上のファスナーエレメント（４）の再成形により当該止め具（６，７）が得られるように構成される、付記１乃至４のいずれかに記載の止め具。
【００６０】
上述の教示を踏まえると、当業者は、各実施形態又は各特徴に対して様々な変更を加えることができる。請求の範囲に盛り込まれた符号は、参考のためであり、請求の範囲を限定解釈する目的で参照されるべきものではない。複数のファスナーエレメントの再成形により得られる止め具の具体的形状は様々であり、開示例に限定されるべきではない。厚肉部は、ファスナーエレメントよりも厚みが小さい又は大きい部分であり得る。止め具が薄肉部を有する場合、厚肉部の厚みは、薄肉部の厚みよりも大きい。止め具が貫通孔を有する場合、厚肉部は、ある厚みを有する止め具の任意の部分である。厚みは、上下方向において測定される。止め具の薄肉部が、異なる位置で異なる厚みを有することも想定される。止め具の厚肉部が、異なる位置で異なる厚みを有することも想定される。
【符号の説明】
【００６１】
１            スライドファスナー
２            ファスナーストリンガー
３            ファスナーテープ
４            ファスナーエレメント
５            スライダー
６            後止め
７            前止め
８            ファスナーチェーン
９            金型装置
【図１】
2020115886.tif 000003
【図２】
2020115886.tif 000004
【図３】
2020115886.tif 000005
【図４】
2020115886.tif 000006
【図５】
2020115886.tif 000007
【図６】
2020115886.tif 000008
【図７】
2020115886.tif 000009
【図８】
2020115886.tif 000010
【図９】
2020115886.tif 000011
【図１０】
2020115886.tif 000012
【図１１】
2020115886.tif 000013
【図１２】
2020115886.tif 000014
【図１３】
2020115886.tif 000015
【図１４】
2020115886.tif 000016
【図１５】
2020115886.tif 000017
【図１６】
2020115886.tif 000018
【図１７】
2020115886.tif 000019
【図１８】
2020115886.tif 000020
【図１９】
2020115886.tif 000021
【図２０】
2020115886.tif 000022
【図２１】
2020115886.tif 000023
【図２２】
2020115886.tif 000024
【図２３】
2020115886.tif 000025
【図２４】
2020115886.tif 000026
【図２５】
2020115886.tif 000027
【図２６】
2020115886.tif 000028
【図２７】
2020115886.tif 000029
【国際調査報告】
2020115886.tif 000030
2020115886.tif 000031
2020115886.tif 000032
2020115886.tif 000033